(57)【要約】【課題】  様々な意匠性に対応し、かつ、開発と生産の容易な水洗大便器を得る。【解決手段】水洗大便器が、使用者が排泄を行うボウルと、前記ボウルに溜水を形成するトラップと、前記ボウルの上面に形成されたリムと、を一体で有した陶器製の第一部材と、前記リムの下方に位置して前記ボウルの少なくとも一部を覆う袴を有した陶器製の第二部材と、前記第一部材と、前記二部材とを接着する接着部と、を備える。【選択図】  図１
2016166497.tif 000002
【特許請求の範囲】
【請求項１】
使用者が排泄を行うボウルと、前記ボウルに溜水を形成するトラップと、前記ボウルの上面に形成されたリムと、を一体で有した陶器製の第一部材と、
前記リムの下方に位置して前記ボウルの少なくとも一部を覆う袴を有した陶器製の第二部材と、
前記第一部材と、前記二部材とを接着する接着部と、
を備える水洗大便器。
【請求項２】
前記接着部は、前記第一部材又は前記第二部材と同じ材料で形成されている、
請求項１に記載の水洗大便器。
【請求項３】
使用者が排泄を行うボウルと、前記ボウルに溜水を形成するトラップと、前記ボウルの上面に形成されたリムと、を一体で作製して、陶器製の第一部材を得る工程と、
前記リムの下方に位置して前記ボウルの少なくとも一部を覆う袴を作製して、陶器製の第二部材を得る工程と、
作製により得た前記第一部材及び前記第二部材を接着して、成形品を得る工程と、
前記成形品を焼成する工程と、
を有する水洗大便器の製造方法。
【発明の詳細な説明】
【技術分野】
【０００１】
本発明は、性能・機能を果たす部分と、デザイン性を果たす部分を明確に区分けすること係り、特に陶器製の衛生設備機器の排出性能の作り込みを簡便に実施しながら、様々な外観意匠を得ることに好適な陶器製の水洗大便器に関する。
【背景技術】
【０００２】
従来の陶器製の水洗大便器は、泥漿と称される素材で成形された、便座が当接するリム、使用者が排泄を行うボウル、前記ボウルに溜水を形成するトラップ排水路、および、外観を形成する袴などを組み合わせて、水洗大便器の全体形状を成形している（例えば、特許文献１参照。）。
【０００３】
また、陶器製の水洗大便器を、便座が当接するリム、使用者が排泄を行うボウルと前記ボウルに溜水を形成するトラップ排水路、および、外観を形成する袴という３部品に分けて、各々を接着して全体を成形するものもある（例えば、特許文献２参照。）。
【先行技術文献】
【特許文献】
【０００４】
【特許文献１】特許第３４３６００４号公報
【特許文献２】欧州特許第２０１７３９１号明細書
【発明の概要】
【発明が解決しようとする課題】
【０００５】
しかしながら、特許文献１に記載の技術では、意匠の異なる水洗大便器を生産する場合、水洗大便器毎に性能を作り込む必要があるため開発負荷が大きいという問題だけでなく、意匠違いの水洗大便器を生産するためには、その都度で使用する泥漿を流し込む型を交換する必要があり、生産性が悪いという問題もあった。
【０００６】
また、特許文献２に記載の技術においても、上部が開口形状であるボウルは、泥漿で成形された乾燥前の状態では剛性が弱くて変形し易いことから、生産した時の性能にバラツキが発生しやすいという問題があった。
【０００７】
そこで、本発明は、上記問題を解決するためになされたもので、本発明の課題は、様々な意匠性に対応し、かつ、開発と生産の容易な水洗大便器を得ることである。
【課題を解決するための手段】
【０００８】
本発明の第１態様に係る水洗大便器は、使用者が排泄を行うボウルと、前記ボウルに溜水を形成するトラップと、前記ボウルの上面に形成されたリムと、を一体で有した陶器製の第一部材と、前記リムの下方に位置して前記ボウルの少なくとも一部を覆う袴を有した陶器製の第二部材と、前記第一部材と、前記二部材とを接着する接着部と、を備える。
【０００９】
この構成によれば、水洗大便器としての性能を左右する部材を安定性を持って成形し、その部分を共通としたまま、第二部材を変えて外観を変更することで、様々な意匠の異なる水洗大便器を生産することができる。
【００１０】
本発明の第２態様に係る水洗大便器では、第１態様において、前記接着部は、前記第一部材又は前記第二部材と同じ材料で形成されている。
【００１１】
この構成によれば、新たな接着部材を用意しなくても、第一部材と第二部材で接着部を形成することができるようになり、水洗大便器の製造を容易に行なうことができる。
【００１２】
本発明の第３態様に係る水洗大便器の製造方法は、使用者が排泄を行うボウルと、前記ボウルに溜水を形成するトラップと、前記ボウルの上面に形成されたリムと、を一体で作製して、陶器製の第一部材を得る工程と、前記リムの下方に位置して前記ボウルの少なくとも一部を覆う袴を作製して、陶器製の第二部材を得る工程と、作製により得た前記第一部材及び前記第二部材を接着して、成形品を得る工程と、前記成形品を焼成する工程と、を有する。
【００１３】
この構成によれば、水洗大便器としての性能を左右する部材を安定性を持って成形し、その部分を共通としたまま、第二部材を変えて外観を変更することで、様々な意匠の異なる水洗大便器を生産することができる。
【発明の効果】
【００１４】
本発明によれば、水洗大便器としての性能を左右する部材を安定性を持って成形し、その部分を共通としたまま、外観だけを変更して、様々な意匠の異なる水洗大便器を生産することができる。
【図面の簡単な説明】
【００１５】
【図１】本発明の実施形態に係る水洗大便器の全体の簡易的な側面断面図である。
【図２】本発明の実施形態に係る水洗大便器において接着部付近の部分を拡大した図である。
【図３】本発明の実施形態に係る水洗大便器の製造工程で使用される第一部材の構成を示す断面図である。
【図４】本発明の実施形態に係る水洗大便器の製造工程で使用される第二部材の構成を示す断面図である。
【発明を実施するための形態】
【００１６】
以下、添付図面を参照しながら本発明の複数の実施の形態について説明する。説明の理解を容易にするため、各図面において同一の構成要素に対しては可能な限り同一の符号を付して、重複する説明は省略する。
【００１７】
図１は、本発明の実施形態に係る水洗大便器１の全体の簡易的な側面断面図である。なお、図１においては、ハッチングの記載を省略している。
【００１８】
図１に示すように、本発明の実施形態に係る水洗大便器１は、第一部材１０と、第二部材２０と、接着部３０と、を含んで構成されている。
【００１９】
第一部材１０は、使用者が排泄を行うボウル２と、当該ボウル２に溜水を形成するトラップ３と、前記ボウル２の上面に形成され使用者が着座する便座と当接するリム４と、を一体で有した陶器製の一部品である。本実施形態では、リム４は、ボウル２の外周面から水平方向に突出している。
【００２０】
第二部材２０は、リム４の下方に位置してボウル２の少なくとも一部を覆う袴５を有した陶器製の一部品である。本実施形態では、水洗大便器１は、壁固定タイプである。また、袴５は、ボウル２の前面と側面を覆っている。ボウル２の背面は壁で固定されて隠され、ボウル２の底面は床に近接することで実質的に隠されているので、ボウル２の背面側及び底面側には、袴５が形成されていない。
【００２１】
接着部３０は、第一部材１０と第二部材２０とを接着している部分である。
【００２２】
図２は、本発明の実施形態に係る水洗大便器１において接着部３０付近の部分を拡大した図である。
【００２３】
図２に示すように、接着部３０は、例えば第一部材１０の端部と、第二部材２０の端部とを接着している。この接着部３０は、第一部材１０及び第二部材２０と同じ材料の粘土による泥漿をゆるく水で溶いたもので形成されている。接着部３０は、外観では、第一部材１０と第二部材２０と連続しており、視認し難い。しかしながら、水洗大便器１を前方から後方にかけて上下に切断すると、接着部３０には、第一部材１０の端部と第二部材２０の端部の間から、奥方向にあるボウル２側に接着部材がはみ出したはみ出し部分３０Ａが、全体的に或いは部分的に存在するため、これにより接着部３０があることを視認できる。また、はみ出しは不可避であるため、そのはみ出しが逃げる部分を形状的に準備しなければならない。
【００２４】
次に、本発明の実施形態に係る水洗大便器１の製造方法について説明する。
【００２５】
この水洗大便器１の各構成は、上述したように陶器製であるため、それぞれ泥漿と称される粘土を型に流し込んで、その型と接触した部分を脱水することで形状を作り、各部を組み合わせて全体を構成したものを所定時間だけ乾燥させ、それを焼成することで製造される。
【００２６】
具体的には、以下の工程により、水洗大便器１が製造される。
【００２７】
図３は、本実施形態の製造工程で使用される第一部材１０の構成を示す断面図である。また、図４は本実施形態の製造工程で使用される第二部材２０の構成を示す断面図である。なお、図３及び図４においては、ハッチングの記載を省略している。
【００２８】
水洗大便器１の製造方法では、上述したボウル２と、トラップ３と、リム４と、を泥漿によって一体で作製して、陶器製の第一部材１０を得る工程を行なう。
【００２９】
使用者に向けて開口したボウル２の周囲には、フチとしてのリム４が形成されるため、焼成の前段階であっても剛性は高く、その取り扱いによる変形は生じ難くなっている。また便器としての洗浄性能は、ボウル２とトラップ３とリム４によって作り込まれることになるため、第一部材１０が共通であれば、水洗大便器１としては同一の性能を発揮できることになる。
【００３０】
また、本実施形態において、外観デザインを決める意匠部品としての袴５は、第二部材２０として成形される。すなわち、水洗大便器１の製造方法では、リム４の下方に位置してボウル２の少なくとも一部を覆う袴５を泥漿によって作製して、陶器製の第二部材２０を得る工程を行なう。なお、第一部材１０を得る工程と、第二部材２０を得る工程の順番は、逆であってもよい。
【００３１】
次に、水洗大便器１の製造方法では、作製により得た第一部材１０及び第二部材２０を接着して、成形品を得る工程を行なう。具体的には、第一部材１０と第二部材２０は、リム４の下方で接着されて水洗大便器１全体の形が形成される。
【００３２】
その後、水洗大便器１の製造方法では、成形品を焼成する工程を行なう。
【００３３】
以上の工程を経ることで、水洗大便器１が製造される。
【００３４】
これにより、便器としての性能を出す部分は共通（第一部材１０）で、外観だけ（第二部材２０）を変更可能であることから、開発負担を削減し、生産効率は向上できるという特徴を持つことになる。
【００３５】
以上、本願の開示する技術の実施形態について説明したが、本願の開示する技術は、上記に限定されるものではない。
【００３６】
例えば、第一部材１０には、ボウル２、トラップ３及びリム４以外の他の構成、例えばジェット吐水口等を備えていてもよい。
【００３７】
前述した各実施の形態が備える各要素は、技術的に可能な限りにおいて組み合わせることができ、これらを組み合わせたものも本発明の特徴を含む限り本発明の範囲に包含される。
【符号の説明】
【００３８】
１…水洗大便器
２…ボウル
３…トラップ
４…リム
５…袴
１０…第一部材
２０…第二部材
【図１】
2016166497.tif 000003
【図２】
2016166497.tif 000004
【図３】
2016166497.tif 000005
【図４】
2016166497.tif 000006